(57)【特許請求の範囲】
【請求項１】
ボトル肩部の、ボトル胴部との境界近傍に、その開放端縁が載るよう形成した円筒形状の周壁と、天壁とを、前記開放端とは反対側で一体形成してなり、前記天壁中央にボトルキャップに遊嵌する開口部を設け、ボトル容器に取り付けた状態において、前記周壁及び前記天壁とボトル肩部との間に景品収納空間を形成するようなしたボトル容器用景品ケースであって、天壁の開口部縁部には、景品ケースを天地逆にしてボトル容器に取り付けた時に、ボトルキャップの外周面に密接するようなした開栓用突起を周方向に間隔をおいて複数設けるとともに、各開栓用突起間の前記開口部縁部を周壁の延びる方向とほぼ平行に延長し、ボトルキャップに対して接離する方向に揺動するよう、適度の弾性を有する複数の舌片を設け、この各舌片先端縁には、舌片の弾性力によってボトルキャップの開放端縁に係脱する係止用突起を設けたことを特徴とするボトル容器用景品ケース。
【請求項２】
ボトルに取り付けた際に、天壁がボトルキャップの天部近傍に対応位置するよう周壁の高さを設定したことを特徴とする請求項１に記載のボトル容器用景品ケース。
【請求項３】
各開栓用突起の内周面に、ボトルキャップ外面に形成したナールとの滑り摩擦を大きくするための凹凸を設けたことを特徴とする請求項１又は請求項２に記載のボトル容器用景品ケース。
【発明の詳細な説明】
【技術分野】
【０００１】
本発明は、清涼飲料用などのボトル容器に分離可能に取り付け、内部に消費者の購買欲を高める景品を収容した販売促進用のボトル容器用景品ケースに関する。
【背景技術】
【０００２】
従来、ボトル容器に分離可能に取り付ける景品ケースとしては、ボトル首部からボトル胴部間の傾斜した肩部との間に景品収納空間を形成するカップ状のもの（特許文献１参照）が提案されている。この景品ケース（収納カップ）は、有底筒状カップ体の底部中央にボトル首部に嵌合するとともに、ボトルキャップの径より若干小径となした開口部を設け、この開口部の内周縁に複数の切り込みを入れて複数の係止片を形成し、前記開口部がボトル首部に嵌合した状態において各係止片が前記首部に設けた環状リブに係止し、不用意に離脱しないように構成してある。この収納カップをボトル容器に取り付けるには、収納カップの前記底部を上にして、ボトルキャップ天部に開口部を合わせ収納カップを強く押し込む。このように収納カップを押し込むと、ボトルキャップ及び環状リブより若干小径の前記開口部は、前記各係止片が彎曲して内径が拡大した状態で前記外周面を滑りながら移動し、ボトルキャップ及び環状リブを越えて首部に達し、ここで前記各係止片が復帰し首部に嵌合する。この取り付け状態にあっては、収納カップ胴部の開口端縁がボトル胴部との境界近傍のボトル肩部下端に載り、被せた状態の収納カップの底部及び胴部とボトル肩部間に景品収納空間が形成される。そして、景品収納空間内の景品を取り出すために前記収納カップをボトルから取り外すには、収納カップを持ってボトルの長手方向外側に離脱するよう強く引く。このように収納カップを強く引くと、前記開口部縁の各係止片が前述の取り付け時とは反対に彎曲して、環状リブ及びボトルキャップ外周面を移動し、前記開口部がボトルキャップから外れる。
【特許文献１】特開２００１−１５８４３４号公報
【発明の開示】
【発明が解決しようとする課題】
【０００３】
上記従来の収納カップは、ボトルに取り付けた状態において、収納カップ底部がボトル首部の基端に対応位置し、景品収納空間が収納カップの底部及び周壁とボトル肩部に囲まれた空間となるので、前記景品収納空間の容積が小さいうえ、景品を取り出すために収納カップをボトルから取り外す際に、前記各係止片を彎曲させるために強い力で引かなければならず、力の弱い子供や女性にとって扱いにくいという問題があった。
【０００４】
本発明は、上記問題を解消することを課題とし、該課題を解決したボトル容器用景品ケースを提供することを目的とする。
【課題を解決するための手段】
【０００５】
上記目的を達成するために、請求項１に記載の本発明に係るボトル容器用景品ケースは、ボトル肩部の、ボトル胴部との境界近傍に、その開放端縁が載るよう形成した円筒形状の周壁と、天壁とを、前記開放端とは反対側で一体形成してなり、前記天壁中央にボトルキャップに遊嵌する開口部を設け、ボトル容器に取り付けた状態において、前記周壁及び前記天壁とボトル肩部との間に景品収納空間を形成するようなしたボトル容器用景品ケースであって、天壁の開口部縁部には、景品ケースを天地逆にしてボトル容器に取り付けた時に、ボトルキャップの外周面に密接するようなした開栓用突起を周方向に間隔をおいて複数設けるとともに、各開栓用突起間の前記開口部縁部を周壁の延びる方向とほぼ平行に延長し、ボトルキャップに対して接離する方向に揺動するよう、適度の弾性を有する複数の舌片を設け、この各舌片先端縁には、舌片の弾性力によってボトルキャップの開放端縁に係脱する係止用突起を設けたというものです。
【０００６】
また、請求項２に記載の本発明に係るボトル容器用景品ケースは、請求項１に記載の周壁を、ボトルに取り付けた際に、天壁がボトルキャップの天部近傍に対応位置するよう周壁の高さを設定したというものです。
【０００７】
さらに、請求項２に記載の本発明に係るボトル容器用景品ケースは、請求項１又は請求項２に記載の各開栓用突起の内周面に、ボトルキャップの外面に形成したナールとの滑り摩擦を大きくするための凹凸を設けたというものです。
【発明の効果】
【０００８】
上記請求項１に係る本発明は、ボトルキャップに対して接離する方向に揺動する舌片を設け、この各舌片下端縁には、舌片の弾力性でボトルキャップ下端縁に係脱する係止用突起を設けたので、運搬などのボトル取り扱い時には、景品ケースが不用意にボトル容器から離脱することがないうえ、景品を取り出すべくボトル容器から離脱させる際には、所定の力で前記係止状態を解除できるとともに、複数の開栓用突起を設けたので、天地を逆にして前記開口部をボトルキャップに嵌合すると、各開栓用突起がボトルキャップ外周面に密接するので、この景品ケースを用いてボトルキャップを回転させることが可能であって、力のない子供や女性でも容易にボトル容器を開栓できるという効果を奏する。
【０００９】
また、上記請求項２に係る本発明は、ボトル容器に取り付けた状態において、天壁がボトルキャップの天部近傍に対応位置するので、景品収納空間は、収納カップの天壁及び周壁とボトル肩部及びボトルキャップで囲まれた空間となるので、従来のものに比べてボトルキャップに対応する空間分だけ容積が大きいという効果を奏する。
【００１０】
さらに、上記請求項３に係る本発明は、開栓突起の内周面に凹凸を設けたので、開栓時にボトルキャップを回転させる際に、ボトルキャップ外周面との開栓突起間の摩擦力が大きくて、ボトルキャップに対して景品ケースが滑りにくく、確実な開栓動作を行うことができるという効果を奏する。
【発明を実施するための最良の形態】
【００１１】
次に、本発明を清涼飲料用ボトル容器に適用した好適な実施形態を添付図面の図１〜図４に基づいて詳細に説明する。ここにおいて、図１は縦断正面図、図２は平面図、図３はボトルに取り付けた状態の縦断正面図、図４はボトル容器の開栓を行う状態を示す縦断面図である。
【００１２】
先ず、本発明の景品ケースの説明をする前に、図３及び図４によってボトル容器１の説明をする。ボトル容器１は、公知の構成を有するものであって、ボトル首部２、このボトル首部２に連続し傾斜して下方に延びるボトル肩部３、このボトル肩部３に連続し下方に延びるボトル胴部４及びこのボトル胴部４下端に設けたボトル底部（図示せず）を一体形成したボトル本体５と、前記ボトル首部２に螺合し上端のボトル口（図示せず）を密閉するボトルキャップ６とからなる。また、前記ボトルキャップ６は、公知のピルファープルーフキャップであって、一端にキャップ天部（図示せず）を有するとともに、他端を開放したほぼ円筒形状をなし、外周面に滑り止め用のナール７を設けたキャップ本体８と、このキャップ本体８の下端縁と複数のブリッジ（図示せず）を介して連繋し、開栓後には前記ボトル首部２に残留するバンドリング９とからなる。前記ボトルキャップ６のキャップ本体８は、その天部からバンドリング９に向けて徐々にその外径を大きくする、いわゆるテーパー状に形成されている。
【００１３】
続いて、図１〜図４によって、前記ボトル容器１に取り付ける本発明の景品ケース１０を説明する。景品ケース１０は、前記ボトル肩部３の、ボトル胴部４との境界近傍にその開放端縁が載るようなしたほぼ円筒形状の周壁１１と、この周壁１１上端の天壁１２とからなる。前記天壁１２中央には、ボトルキャップ６に遊嵌する開口部１３を設け、ボトル容器１に取り付けた状態たる前記開口部１３がボトルキャップ６の天部に対応位置した状態において、前記周壁１１及び前記天壁１２とボトル首部２及びボトル肩部３とに囲まれた景品収納空間１４が形成されるよう構成する。
【００１４】
図１〜図４に示すように、天壁１２の開口部１３縁部には、周方向に所定間隔をおいて、景品ケース１０の取り付け状態では、ボトルキャップ６の天部と所定間隔をおいて位置し、景品ケース１０の天地を逆にした取り付け状態では、前記ボトルキャップ６の外周面に密接するようなした４つの開栓用突起１５を設ける。また、各開栓用突起１５間の前記開口部１３縁部を下方に延長して、ボトルキャップ６に対して接離する方向に揺動するよう、適度の弾性を有する４つの舌片１６を設け、この各舌片１６下端縁には、断面半球状の曲面を有し、ボトルキャップ６側に突出する係止用突起１７を設ける。
【００１５】
図１〜図３に示すように、前記舌片１６は、開口部１３から下方に向かって若干内側に傾斜するように形成してあり、それらの先端に設けた係止用突起１７は、ボトル容器１に景品ケース１０を取り付けた状態では、バンドリング９の下端縁内側に位置するものである。また、前記舌片１６は、その中間部分に段部１６ａを設け、下側部分の幅を狭くして弾力を強めるようにしてある。
【００１６】
図１及び図３に示すように、係止用突起１７は、ボトルキャップ６下端縁たるバンドリング９下端に係止し、輸送中などにおける取り扱い時には、不用意に離脱しないが、景品ケース１０の周壁１１下部を内側に押圧すると、前記舌片１６を水平方向外側に揺動させて前記係止状態が解除するものである。
【００１７】
以上のように構成した景品ケース１０は、清涼飲料販売店などで景品（図示せず）を入れ、景品を収納空間１４に位置させた状態でボトル容器１に被せ、ボトルキャップ６の天部が４つの舌片１６で囲まれるようにして、開口部１３がボルトキャップ６の天部に対応位置するまで押し込む。この押し込む際に、各舌片１６の係止用突起１７は、ボトルキャップ６の外周面に弾力で押し付けられつつバンドリング９に向かって移動し、バンドリング９下端縁を越すと舌片１６の弾力で内側のボルト首部２側に移動し、該バンドリング９下端縁に係止し、景品ケース１０はボトル容器１に取り付けられる（図３参照）。このように景品ケース１０を取り付けたボトル容器１入りの清涼飲料は、店頭や自動販売機で販売される。
【００１８】
上記の景品付きボトル容器入りの清涼飲料を購入した消費者は、一方の手でボトル胴部４を、また他方の手で景品ケース１０の周壁１１下部を持ち、この周壁１１下部を内側に押圧すると、前記各舌片１６がボトルキャプ８から離反する方向に揺動してバンドリング端縁への係止用突起１７の係止が解除し、さらに景品ケース１０をボトル首部２から引き抜くとボトルキャップ６外周面上を前記各係止用突起１７が滑りながら移動し、前記景品ケース１０はボトル容器１から分離する。
【００１９】
次に、消費者は、収納空間内の景品を入手した後、景品ケース１０の天地を逆にしてその開口部１３をボトルキャップ６に若干押し込む（図４参照）。ボトルキャップ６の外周は、ボトルキャップ６の天部から他端に向かって徐々にその径が大きくなるテーパー状に形成されているので、前記のように押し込むと景品ケース１０の各開栓用突起１５がボトルキャップ６の外周に密着する。ここで、ボトル容器１を一方の手で押えるとともに、他方の手で景品ケース１０の周壁１１を持ちボトルキャップ６が開栓する方向に回転すると、ボトルキャップ６が回転し、ブリッジ（図示せず）が剪断され、キャップ本体８のみが螺合状態を解かれ開栓する。この開栓動作においては、周壁１１を回転するとキャップ本体８外周にはテコの作用で強い回転トルクがかかり、消費者は比較的弱い回転力を周壁１１に与えるだけで容易に開栓を行うことが可能である。
【００２０】
なお、本発明は上記実施形態になんら限定されるものではなく、例えば、清涼飲料用のボトル容器に適用するのではなく、酒類など他の飲料用に適用してもよい。また、各舌片１６先端の係止用突起１７の形状は、断面半球状の曲面に限らず、景品ケース１０をボトル首部２に取り付けると、バンドリング９下端に係止する一方、景品ケース１０の周壁１１下部を内側に押圧すると、前記舌片１６を水平方向外側に揺動させて前記係止状態が解除する形状、例えばボトルキャップ６に向かって徐々に薄くなる傾斜面をもつ断面三角形のものであってもよい。
【図面の簡単な説明】
【００２１】
【図１】縦断正面図。
【図２】平面図。
【図３】ボトルに取り付けた状態の縦断正面図。
【図４】ボトル容器の開栓を行う状態を示す縦断面図。
【符号の説明】
【００２２】
１    ボトル容器
２    ボトル首部
３    ボトル肩部
４    ボトル胴部
５    ボトル本体
６    ボトルキャップ
７    ナール
８    キャップ本体
９    バンドリング
１０    景品ケース
１１    周壁
１２    天壁
１３    開口部
１４    景品収納空間
１５    開栓用突起
１６    舌片
１７    係止突起
【図１】
0005007175.tif 000002
【図２】
0005007175.tif 000003
【図３】
0005007175.tif 000004
【図４】
0005007175.tif 000005